(57)【特許請求の範囲】
【請求項１】
機器本体の隣接する２面に跨って形成され、一部が外装カバーの表面上を移動する押しボタン型の操作ボタンを備えた電子機器において、
前記操作ボタンの前記一部に対向する前記外装カバーの表面に、前記操作ボタンの操作方向に沿って順次、前記機器本体の内側に向かって傾斜する傾斜面を設けて該傾斜面と前記操作ボタンの前記一部の操作方向先端部との隙間が、前記操作ボタンの操作方向に沿って順次、大きくなるように構成し、
前記傾斜面における前記操作ボタンの操作方向の端部に、前記操作ボタンの前記一部の操作方向先端部に対向する壁面が形成されていることを特徴とする電子機器。
【請求項２】
前記壁面は、前記外装カバーの一部が突出した突出部又は前記外装カバーとは別部材からなる突出部における前記操作ボタンの前記一部の操作方向先端部に対向する面であることを特徴とする請求項１記載の電子機器。
【請求項３】
前記外装カバーには、前記操作ボタンが操作された際に該操作ボタンの前記一部が移動するための凹部が形成されており、該凹部における前記操作ボタンの前記一部に対向する面に前記傾斜面が設けられていることを特徴とする請求項１記載の電子機器。
【請求項４】
前記壁面は、前記凹部における前記操作ボタンの操作方向の端部を形成する面であることを特徴とする請求項３記載の電子機器。
【請求項５】
前記機器本体の隣接する２面は、前記機器本体における後面及びグリップカバー側の側面であることを特徴とする請求項１乃至４のいずれか１項に記載の電子機器。
【請求項６】
前記操作ボタンは、映像及び音声の記録を開始又は停止するためのトリガーボタンであることを特徴とする請求項１乃至５のいずれか１項に記載の電子機器。
【発明の詳細な説明】
【技術分野】
【０００１】
本発明は、機器本体の２面に跨って操作ボタンが設けられた電子機器に関する。
【背景技術】
【０００２】
近年ビデオカメラをはじめとする電子機器の本体は小型化し、機器本体の後面に占めるバッテリー取り付け部の面積の割合が相対的に大きくなって、トリガーボタンを配置できる面積が小さくなったために操作性の低下が懸念されていた。そこで、トリガーボタンを機器本体の後面とグリップカバー側の側面との２面に跨るように配置して操作性を損なわないようにした電子機器が提案されている（例えば、非特許文献１）。
【先行技術文献】
【非特許文献】
【０００３】
【非特許文献１】「ソニー株式会社  デジタルビデオカメラ  ＨＤＲ−ＣＸ１８０  取扱説明書」、ソニー株式会社、２０１１年、ｐ．１３
【発明の概要】
【発明が解決しようとする課題】
【０００４】
しかしながら、上記従来技術は、ビデオカメラの外観上の見栄えが低下するという新たな問題を有するものであった。
【０００５】
図６は、操作ボタンを機器本体の後面とグリップカバー側の側面との２面に跨るように形成したビデオカメラのグリップカバー側の側面図である。
【０００６】
図６において、電子機器としてのビデオカメラ１１０の機器本体１１１におけるグリップカバー側の側面は、グリップカバー１７と、グリップカバー１７の上部を占める上面カバー３２と、トリガーカバー１１９とから主として構成されている。トリガーカバー１１９は、グリップカバー１７における機器本体１１１の後面側の上部に配置されており、その上部において上面カバー３２に隣接している。
【０００７】
機器本体１１１の後面とグリップカバー１７側の側面との２面に跨るように操作ボタンであるトリガーボタン１１４が形成されている。トリガーボタン１１４は、押し込み操作によって、その一部がトリガーカバー１１９の凹部１２０の表面上を押し込み方向に沿って移動する。
【０００８】
機器本体１１１の後面とグリップカバー１７側の側面とが当接する角部には、グリップベルトを取り付けるためのグリップベルト取り付け部１８が設けられている。
【０００９】
図７は、図６のビデオカメラにおけるにおけるＣ−Ｃ線に沿う断面図である。
【００１０】
図７において、機器本体１１１の後面と側面とに跨って形成されたトリガーボタン１１４は、機器本体１１１の後面側を構成する操作部１２２と、グリップカバー１７側の側面を構成する側面部１２３とを有している。トリガーボタン１１４は、また、後述するトリガースイッチ２６を押圧するスイッチ押し部１２４を備えている。
【００１１】
トリガーボタン１１４の操作部１２２は、ビデオカメラ本体の後面を形成するカバー面から若干突出している。一方、トリガーボタン１１４の一部である側面部１２３はトリガーボタン１１４が押し込み操作された際、トリガーカバー１１９の表面上、詳しくはトリガーカバー１１９に設けられた凹部１２０内を凹部内面１２１に沿って操作方向である押し込み方向に移動する。
【００１２】
凹部１２０の凹部内面１２１には突起状の摺動リブ２５が設けられており、トリガーボタン１１４の側面部１２３は、トリガーボタン１１４の操作部１２２が押し込まれた際、摺動リブ２５に摺接して凹部１２０内を押し込み方向に移動する。
【００１３】
トリガーボタン１１４のスイッチ押し部１２４に対向する機器本体１１１の内部に、トリガースイッチ２６が配置されている。トリガースイッチ２６は内部に接点部（図示省略）が設けられたスイッチケース２７と、トリガーボタン１１４の押し込み動作に連動して移動するスイッチキートップ部２８とで主として構成されている。スイッチケース２７はフレキシブル基板２９上に実装されており、フレキシブル基板２９はフレキ受け板金３０に固定されている。フレキ受け板金３０は、トリガーボタン１１４を押しこんだ際にトリガースイッチ２６が機器本体１１１の内部で移動しないように規制している。
【００１４】
図８は、図７におけるトリガーボタン１１４を押し込んだ状態を示す断面図である。
【００１５】
図８において、トリガーボタン１１４は押しこみ方向Ｂに押し込まれており、トリガーボタン１１４の押しこみ動作によって、トリガースイッチ２６におけるスイッチキートップ部２８がスイッチケース内２７に押し込まれる。スイッチキートップ部２８が押し込まれることによって、トリガースイッチ２６の内部において接点部が接触し、ビデオカメラ１１０による撮影が開始又は終了する。
【００１６】
図９は、図８のビデオカメラ１１０においてトリガーボタン１１４が斜めに押し込まれた状態を示す部分拡大断面図、図１０は、図９における凹部の高さを高くした状態を示す部分拡大断面図である。図９及び図１０において、トリガーボタン１１４の側面部１２３を表示する実線は、トリガーボタン１１４が押し込まれる前の側面部１２３を示し、破線は、トリガーボタン１１４が押し込まれた後の側面部１２３を示す。
【００１７】
図９において、トリガーボタン１１４の側面部１２３は少し斜めに押し込まれており、トリガーボタン１１４の先端部１３１がトリガーカバー１１９の凹部１２０を形成する凹部内面１２１に衝突している。トリガーボタン１１４の先端部１３１がトリガーカバー１１９の凹部内面１２１に衝突すると、凹部内面１２１に傷がつく虞がある。
【００１８】
そこで、図１０に示したように、トリガーカバー１１９における凹部１２０の深さ（ｄ２）を図９における凹部１２０の深さ（ｄ１）よりも深く設定して衝突を回避する工夫がなされている。トリガーカバー１１９における凹部１２０の深さをより深く設定することによって、トリガーボタン１１４を斜めに押しこんだ場合であってもトリガーボタン１１４の側面部１２３と凹部内面１２１との衝突が回避される。
【００１９】
すなわち、図１０のビデオカメラは、凹部１２０を深くすることによって、トリガーボタン１１４が斜めに押し込まれた場合であっても、側面部１２３の先端部１３１とトリガーカバー１１９の凹部内面１２１との衝突を回避するものである。しかしながら、トリガーボタン１１４を押し込む前の通常状態において、図１０中、矢印Ｄ方向から見た際の凹部１２０における凹部内面１２１とトリガーボタン１１４の側面部１２３との隙間が目立ち、外観上の見栄えが低下していた。
【００２０】
本発明の目的は、隣接する２面に跨って形成された操作ボタンが斜め方向に押し込まれた場合でも、外観上の見栄えを低下させることなく操作ボタンと外装カバーとの接触を回避して外装カバーに傷が付くことを防止できる電子機器を提供することにある。
【課題を解決するための手段】
【００２１】
上記目的を達成するため、本発明の電子機器は、機器本体の隣接する２面に跨って形成され、一部が外装カバーの表面上を移動する押しボタン型の操作ボタンを備えた電子機器において、前記操作ボタンの前記一部に対向する前記外装カバーの表面に、前記操作ボタンの操作方向に沿って順次前記機器本体の内側に向かって傾斜する傾斜面を設けて該傾斜面と前記操作ボタンの前記一部の操作方向先端部との隙間が、前記操作ボタンの操作方向に沿って順次大きくなるように構成し、前記傾斜面における前記操作ボタンの操作方向の端部に、前記操作ボタンの前記一部の操作方向先端部に対向する壁面が形成されていることを特徴とする。
【発明の効果】
【００２２】
本発明によれば、操作ボタンの一部に対向する外装カバー表面に、操作ボタンの移動方向に沿って順次機器本体の内側に向かって傾斜する傾斜面を設けたので、該傾斜面と操作ボタンの一部の移動方向先端部との隙間が操作ボタンの操作方向に沿って順次大きくなる。従って、操作ボタンを斜めに押し込んだ場合であっても操作ボタンの一部の先端部と外装カバーとの衝突を回避して外装カバーに傷がつくのを防止できる。また、傾斜面における操作ボタンの操作方向の端部に、操作ボタンの一部の操作方向先端部に対向する壁面を形成したので、操作ボタンの一部の移動方向に沿って順次大きくなる隙間が目立たなくなり、外観上の見栄えの低下を防止できる。
【図面の簡単な説明】
【００２３】
【図１】本発明の実施の形態に係るビデオカメラであって、表示ユニットが開かれた状態のビデオカメラを示す斜視図である。
【図２】図１のビデオカメラにおけるグリップカバー側を示す側面図である。
【図３】図２のビデオカメラにおけるＡ−Ａ線に沿う断面図である。
【図４】図３におけるトリガーボタンと凹部内面との位置関係を示す部分拡大断面図である。
【図５】本発明の実施の形態における変形例を示す図であって、図３に対応する断面図である。
【図６】操作ボタンを機器本体の後面とグリップカバー側の側面との２面に跨るように形成したビデオカメラのグリップカバー側の側面図である。
【図７】図５のビデオカメラにおけるＣ−Ｃ線に沿う断面図である。
【図８】図６のビデオカメラにおけるトリガーボタンを押し込んだ状態を示す断面図である。
【図９】図７のビデオカメラにおいてトリガーボタンを斜めに押し込んだ状態を示す部分拡大断面図である。
【図１０】図７のビデオカメラにおいて凹部の高さを高くした状態を示す部分拡大断面図である。
【発明を実施するための形態】
【００２４】
以下、本発明の実施の形態について図を参照しながら詳細に説明する。
【００２５】
図１は、本発明の実施の形態に係るビデオカメラであって、表示ユニット１５が開かれた状態のビデオカメラを示す斜視図である。
【００２６】
図１において、電子機器としてのビデオカメラ１０は、略直方体の外形を有する機器本体１１と、該機器本体１１にヒンジ部材を介して開閉自在に取り付けられた表示ユニット１５とから主として構成されている。機器本体１１の上部平面には、レンズの光学ズームを変更するズームレバー１２が設けられ、後面には、バッテリーを取り付けるためのバッテリー収納部１６が設けられている。また、後面の上部には、ビデオカメラ１０の電源をＯＮ、ＯＦＦする電源ボタン１３が設けられている。
【００２７】
機器本体１１の表示ユニット１５が取り付けられた側面と対向する側面はグリップカバー１７を有するグリップカバー側側面となっている。機器本体１１の後面とグリップカバー１７側の側面との２面に跨って操作ボタンとしてのトリガーボタン１４が設けられている。トリガーボタン１４は、押しボタン型の操作ボタンであって、動画等の映像の撮影を開始又は停止するための操作ボタンである。
【００２８】
また、機器本体１１の後面とグリップカバー１７側の側面とが当接する角部には、グリップベルトを取り付けるためのグリップベルト取り付け部１８が設けられている。なお、機器本体１１の内部には、画像及び音声を記録し、再生する記録再生部（図示省略）が設けられている。
【００２９】
このようなビデオカメラ１０における特徴部分を図２乃至図４を用いて詳細に説明する。
【００３０】
図２は、図１のビデオカメラ１０におけるグリップカバー１７側の側面を示す図、図３は、図２のビデオカメラ１０におけるＡ−Ａ線に沿う断面図、図４は、図３におけるトリガーボタンとトリガーカバーとの関係を示す部分拡大断面図である。図２乃至図４において、図６〜図１０に示した従来のビデオカメラと同様の構成については同一符号を付して詳しい説明を省略する。
【００３１】
図２乃至図４において、ビデオカメラ１０における機器本体１１のグリップカバー１７側の側面の一部を構成する外装カバーとしてのトリガーカバー１９の表面上を、操作方向に押し込み操作されたトリガーボタン１４の一部である側面部２３が移動する。トリガーカバー１９には凹部２０が形成されており、トリガーボタン１４の側面部２３は凹部２０内を、該側面部２３の内側面が対向する凹部内面２１に沿って移動する。操作方向とは、トリガーボタン１４が押し込み操作された際の押し込み方向、例えば図３中、右方向をいう。
【００３２】
凹部平面２１には、押し込み操作に従って移動するトリガーボタン１４の操作方向に沿って順次機器本体１１の内部に向かって傾斜する傾斜面２１ｂ（図４参照）が設けられている。すなわち、凹部内面２１は、トリガーカバー１９の外部表面１９ｂに平行な平行平面２１ａと、機器本体１１の内側に向かって傾斜する傾斜面２１ｂを備えている。傾斜面２１ｂの傾斜角度は、例えば２〜１０°である。
【００３３】
凹部内面２１に傾斜面２１ｂを設けたことにより、凹部２０の深さがトリガーボタン１４の押し込み方向に沿って順次深くなる。すなわち、押し込み操作によって押し込まれる前のトリガーボタン１４の先端部３１と凹部内面２１との隙間をＬ１とし、押し込まれた後のトリガーボタン１４の先端部３１と凹部内面２１との隙間をＬ２とすると、Ｌ１とＬ２の関係は、Ｌ１＜Ｌ２となる。
【００３４】
凹部２０のトリガーボタン１４の押し込み方向の端部には、トリガーボタン１４の側面部２３の移動方向先端部に対向するトリガーカバー１９からなる壁面１９ａが形成されている。すなわち、凹部２０のトリガーボタン１４の押し込み方向の端部は、トリガーカバー１９がその表面１９ｂに対して略直角に屈曲して構成された壁面１９ａとなっており、壁面１９ａは、トリガーボタン１４の側面部２３の移動方向先端部に対向する。当該壁面１９ａは、図４中、矢印Ｄ方向から見た場合、凹部２０の凹部内面２１に設けられた傾斜面２１ｂの傾斜角度を目立たなくしている。
【００３５】
凹部２０及び凹部内面２１を備えたビデオカメラ１０において、トリガーボタン１４を操作方向である矢印Ｂ方向に押し込むと、トリガーボタン１４の側面部２３の先端部３１は、通常、凹部２０内をトリガーカバー１９の外表面１９ｂに平行に移動する。しかしながら、トリガーボタン１４が斜めに押し込まれると、トリガーボタン１４の先端部３１が凹部内面２１に近づくように移動して当該凹部内面２１に衝突することがあり、かかる場合は、凹部内面２１に傷がつく虞がある。
【００３６】
本実施の形態では、トリガーカバー１９の凹部内面２１がトリガーボタン１４の押し込み方向に沿って機器本体１１の内側に向かって傾斜する傾斜面２１ｂを有する。このため、トリガーボタン１４の押し込み前におけるトリガーボタン１４の先端部３１と凹部内面２１との間隔（Ｌ１）に比べて、トリガーボタン１４の押し込み後におけるトリガーボタン１４の先端部３１と凹部内面２１との間隔（Ｌ２）が大きくなる。従って、トリガーボタン１４の先端部３１が凹部内面２１に近づくように斜めに押し込まれた場合であっても、トリガーボタン１４の先端部３１と凹部内面２１との衝突が回避される。
【００３７】
すなわち、本実施の形態によれば、トリガーボタン１４の先端部３１が斜めに押し込まれた場合であっても、トリガーボタン１４の先端部３１と凹部内面２１との衝突を回避してトリガーカバー１９に傷が付くのを防止することができる。
【００３８】
また、本実施の形態のビデオカメラ１０においては、トリガーボタン１４の側面部２３の操作方向先端部に対向する壁面１９ａが設けられている。従って、トリガーボタン１４の先端部３１と凹部内面２１との衝突回避のために傾斜面２１ｂを設けて凹部２０の深さを順次深しても外観上の見栄えが低下することはない。すなわち、凹部内面２１の傾斜面２１ｂによってトリガーボタン１４の先端部３１と凹部内面２１との隙間はトリガーボタン１４の押し込み方向に沿って順次深くなるが、矢印Ｄ方向視において、凹部２０の端部を区画する壁１９ａによって深い隙間が死角になる。また、この場合、凹部２０における平行平面２１ａによって形成される浅い隙間が強調される。従って、トリガーボタン１４の先端部３１と凹部内面２１との衝突を回避すべく凹部内面２１に傾斜面２１ｂを設け、凹部２０の深さを順次深くしたことに起因してビデオカメラ１０の外観上の見栄えが低下することはない。
【００３９】
本実施の形態において、トリガーボタン１４が隣接する２面に跨って形成される機器本体１１の外表面を後面及びグリップカバー側の側面として説明したが、本発明において機器本体の隣接する２面はこれらに限定されるものではない。隣接する２面はビデオカメラ１０の操作性を損なわない範囲で、後面及びグリップカバー側の側面以外の面であってもよい。
【００４０】
また、本実施の形態において、操作ボタンはトリガーボタン１４に限定されるものではなく、それ以外の操作ボタンであってもよい。
【００４１】
また、本実施の形態においては、トリガーカバー１９に凹部２０が形成されている場合について説明したが、本発明において、トリガーカバー１９に凹部２０が設けられていることは必須要件ではない。すなわち、トリガーカバー１９の外部表面１９ｂとトリガーボタン１４の側面部２３に対向する面とが同一平面を形成し、当該平面が、トリガーボタン１４の操作方向に沿って順次機器本体の内側に向かって傾斜する傾斜面を有するように切欠されていてもよい。この場合、切欠部におけるトリガーボタン１４の先端部３１に対向する端部に、トリガーカバー１９の一部を、例えば曲げ加工した突出部、又は別部材で形成された突出部が設けられていることを要する。
【００４２】
図５は、本実施の形態における変形例を示す図であって、図３に対応する断面図である。
【００４３】
図５において、トリガーカバー１９におけるトリガーボタン１４の側面部２３に対向する表面に、トリガーボタン１４の操作方向に沿って順次機器本体の内側に向かって傾斜する傾斜面を有する切欠部５１が形成されている。そして、切欠部５１におけるトリガーボタン１４の操作方向の端部に別部材からなる突出部５２が設けられ、これによって、トリガーボタン１４の側面部２３の操作方向先端部に対向する壁面５２ａが形成されている。このような壁面５２ａを形成することによって、例えば、図５中、矢印Ｄ方向から見た場合、切欠部における比較的深く切欠された部分が死角となって目立たなくなり、見栄えの低下を防止できる。
【００４４】
以上、本発明を、トリガーボタン１４を備えたビデオカメラ１０として詳述したが、本発明はこれに限定されず、本発明の要旨を逸脱しない範囲内における各種の変形例等は本発明に含まれる。
【符号の説明】
【００４５】
１１  機器本体
１４  トリガーボタン
１５  表示ユニット
１６  バッテリー収納部
１７  グリップカバー
１９、１１９  トリガーカバー
１９ａ  平面（壁）
２０、１２０  凹部
２１  凹部平面
２１ａ  平行面
２１ｂ  傾斜面
２２    操作部
２３    側面部
２５  摺動リブ
３１  トリガーボタンの先端部
【図１】
0005832275.tif 000002
【図２】
0005832275.tif 000003
【図３】
0005832275.tif 000004
【図４】
0005832275.tif 000005
【図５】
0005832275.tif 000006
【図６】
0005832275.tif 000007
【図７】
0005832275.tif 000008
【図８】
0005832275.tif 000009
【図９】
0005832275.tif 000010
【図１０】
0005832275.tif 000011